(57)【要約】【課題】使用不可能なスロットを極力少なくして無線リソースを有効に活用することができる無線通信装置を提供することを目的とする。【解決手段】親機１は１フレームにおいてスロット番号の異なる２つの制御チャネルを送信し、子機２は、前記２つの制御チャネルの一方に同期し、同期した制御チャネルにおける通話チャネルの確立が不可能な場合は現在同期中の制御チャネル以外の制御チャネルへ移動して通話チャネルを確立する。これにより、フレーム内のスロットを有効に利用して使用することができる。【選択図】図１
2006013758.tif 000002
【特許請求の範囲】
【請求項１】
親機と子機から成る無線通信装置であって、
前記親機は、１フレームにおいてスロット番号の異なる２つの制御チャネルを送信し、
前記子機は、前記２つの制御チャネルの一方に同期し、同期した制御チャネルにおける通話チャネルの確立が不可能な場合は前記現在同期中の制御チャネル以外の制御チャネルへ移動して通話チャネルを確立する
ことを特徴とする無線通信装置。
【請求項２】
前記親機は、現在制御チャネルとして使用している２つのスロットのスロット番号を含めた制御情報を２つの制御チャネルを使って送信し、
前記子機は、前記２つの一方の制御チャネルで受信した制御情報より制御チャネルとして使用されている他方のスロットのスロット番号を記録し、同期した制御チャネルにおける通話チャネルの確立が不可能な場合は前記記録されているスロット番号のスロットに切替えて制御情報を受信し、通話チャネルを形成する
ことを特徴とする請求項１記載の無線通信装置。
【請求項３】
前記親機は、スロットの使用状況から２つの制御チャネルの一方を優先制御チャネルと判定し、前記優先制御チャネルを子機に対して報知することを特徴とする請求項１に記載の無線通信装置。
【請求項４】
前記親機は、２つの制御チャネル以外のスロットがすべて使用中になった場合、前記２つの制御チャネルの一方の制御チャネルを解放することを特徴とする請求項１記載の無線通信装置。
【請求項５】
親機と子機における時分割多重の無線通信方法であって、
前記親機は、１フレームにおいて異なる２つのスロットで制御情報を送信し、
制御情報が送信される２つのスロットの中の第１のスロットに同期した子機において、発呼もしくは着呼により通話チャネルの確立が必要は場合には当該第１のスロット，同第１のスロットに隣り合う前後のスロット，親機が既に制御情報の送信に使っている第２のスロットを外した他のスロットから使用可能なスロットを決定する
ことを特徴とする無線通信方法。
【発明の詳細な説明】
【技術分野】
【０００１】
本発明は、コードレス電話装置やワイヤレス交換機などで使用され、親機と子機との間で無線通信を行う時分割多重の無線通信装置および無線通信方法に関するものである。
【背景技術】
【０００２】
時分割多重無線通信装置においては、無線スロットをいかに効率よく使用するかが同時通話数や子機収容数を増加させるためのポイントとなる。従来は、例えば特許文献１に見られるように、不要な通話チャネルを極力解放し、できるだけ多くの空きスロットを確保することが行われてきた。
【０００３】
一方、これまでは一つの無線通信装置においては、使用中のスロットの隣接スロットを同時に使用することができないブラインド方式が主流であったが、近年の無線技術の発達により隣接するスロットも同時使用可能なノンブラインド方式が広まりつつある。しかし、子機においては、通常１スロットのみを使用することやノンブラインド方式対応の無線ユニットが高価であることを理由に、ブラインド方式が採用されることが多い。今後は親機のみノンブラインド方式の無線システムが増えてくると予想される。
【０００４】
このような親機のみノンブラインド方式を採用する時分割多重の無線通信装置の従来例について、その動作を図３を使って説明する。図３は、制御チャネルをスロット１に設定したときのフレーム構成図である。
【０００５】
制御チャネルがスロット１にある場合、図３に示すように、ブラインド方式の子機はスロット１はもちろんのこと、スロット１の前後にあたるスロット０、２も通話チャネル確立に使うことができない。そのため子機が複数存在する場合でも、制御チャネルがスロット１にある限り、スロット０、２は使用できなくなってしまう。
【０００６】
以上のように、親機のみノンブラインド方式を採用する時分割多重の無線通信装置では、親機がノンブラインド方式を採用したにもかかわらず、システムとしては使用不可能なスロットが発生してしまい、同時外線通話や内線通話が制限されるという不具合があった。
【特許文献１】特開平９−１６３４４２号公報
【発明の開示】
【発明が解決しようとする課題】
【０００７】
このように、従来の無線通信装置では、親機のみノンブラインド方式を採用する時分割多重無線通信において、使用不可能なスロットが発生してしまい、同時外線通話や内線通話が制限されるという問題点を有していた。
【０００８】
この無線通信装置では、使用不可能なスロットを極力少なくして無線リソースを有効に活用することが要求されている。
【０００９】
本発明は、この要求を満たすため、使用不可能なスロットを極力少なくして無線リソースを有効に活用することができる無線通信装置および時分割多重無線通信方法を提供することを目的とする。
【課題を解決するための手段】
【００１０】
上記課題を解決するために本発明の無線通信装置は、親機と子機から成る無線通信装置
であって、親機は、１フレームにおいてスロット番号の異なる２つの制御チャネルを送信する構成を備えている。
【００１１】
これにより、使用不可能なスロットを極力少なくして無線リソースを有効に活用することができる無線通信装置が得られる。
【発明の効果】
【００１２】
本発明の無線通信装置は、親機と子機から成る無線通信装置であって、親機は、１フレームにおいてスロット番号の異なる２つの制御チャネルを送信することにより、複数の子機（ここでは２つの子機）がそれぞれ異なるスロット番号の制御チャネルに同期することにより、使用不可能なスロットが存在しなくなるという有利な効果が得られる。
【００１３】
さらに、親機は、スロットの使用状況から２つの制御チャネルの一方を優先制御チャネルと判定し、優先制御チャネルを子機に対して報知することにより、子機は、報知された優先制御チャネルに同期することにより、通話チャネルを確立可能な制御チャネルに移動することができるので、スロットを有効に活用することができるという有利な効果が得られる。
【００１４】
さらに、子機は、現在同期中の制御チャネルにおける通話チャネルの確立が不可能な場合、現在同期中の制御チャネル以外の制御チャネルへ移動して通話チャネルを確立することにより、子機は、通話チャネルの確立が可能な制御チャネルへ移動することができるので、スロットを有効に活用することができるという有利な効果が得られる。
【００１５】
さらに、親機は、２つの制御チャネル以外のスロットがすべて使用中になった場合、２つの制御チャネルの一方の制御チャネルを解放することにより、２つの制御チャネルのうちの一方の制御チャネルを通話チャネルとして利用することができるので、使用可能なスロット全てを有効に活用することができるという有利な効果が得られる。
【発明を実施するための最良の形態】
【００１６】
本発明は、使用不可能なスロットを極力少なくして無線リソースを有効に活用するという目的を、１フレームにおいてスロット番号の異なる２つの制御チャネルを送信することにより実現した。
【００１７】
上記課題を解決するためになされた第１の発明は、親機と子機から成る無線通信装置であって、親機は１フレームにおいてスロット番号の異なる２つの制御チャネルを送信し、子機は、前記２つの制御チャネルの一方に同期し、同期した制御チャネルにおける通話チャネルの確立が不可能な場合は前記現在同期中の制御チャネル以外の制御チャネルへ移動して通話チャネルを確立することとしたものであり、フレーム内のスロットを有効に利用して使用することができ、また複数の子機（ここでは２つの子機）がそれぞれ異なるスロット番号の制御チャネルに同期して通信することができ、この場合には使用不可能なスロットが存在しなくなるという作用・効果を有する。
【００１８】
また、子機において、現在同期中の制御チャネルにおける通話チャネルの確立が不可能な場合、現在同期中の制御チャネル以外の制御チャネルへ移動して通話チャネルを確立するようにしたことにより、子機は通話チャネルの確立が可能な制御チャネルへ移動することができるので、スロットを有効に活用することができる。
【００１９】
上記課題を解決するためになされた第２の発明は、親機は、スロットの使用状況から２つの制御チャネルの一方を優先制御チャネルと判定し、優先制御チャネルを子機に対して報知することとしたものであり、子機は、報知された優先制御チャネルに同期することに
より、通話チャネルを確立可能な制御チャネルに移動することができるので、スロットを有効に活用することができるという作用・効果を有する。
【００２０】
上記課題を解決するためになされた第３の発明は、親機は、２つの制御チャネル以外のスロットがすべて使用中になった場合、２つの制御チャネルの一方の制御チャネルを解放することとしたものであり、２つの制御チャネルのうちの一方の制御チャネルを通話チャネルとして利用することができるので、使用可能なスロット全てを有効に活用することができるという作用・効果を有する。
【００２１】
（実施の形態１）
図１（ａ）は本発明の実施の形態１による無線通信装置を構成する親機１を示すブロック図であり、図１（ｂ）は本発明の実施の形態１による無線通信装置を構成する子機２を示すブロック図である。
【００２２】
図１（ａ）において、１０は子機２との間で制御データや音声データの送受信を行う親機無線制御部、１１は受信時のエラー情報を管理する親機エラー検知部、１２は制御チャネルの確立、解放や制御データのスケジューリングを行う親機制御チャネル制御部、１３は制御チャネル用スロットの選択や通話チャネルに使用するスロットの管理を行う親機チャネル管理部、１４は通話チャネルの確立、解放を行う親機通話チャネル制御部、１５は呼の生起、切断から必要な無線制御を起動、管理する親機呼制御部、１６は一般公衆電話回線の捕捉、解放を行う親機回線制御部、１７は無線信号を送受信する親機アンテナである。また、図１（ｂ）において、２０は親機１からの制御データ受信や音声データの送受信を行う子機無線制御部、２１は受信時のエラー情報を管理する子機エラー検知部、２２は制御チャネルへの同期捕捉や制御チャネルからの制御データを受信する子機制御チャネル制御部、２３は通話チャネルに使用するスロットの選択を行う子機チャネル管理部、２４は通話チャネルの確立、解放を行う子機通話チャネル制御部、２５は発呼や着呼の有無から無線制御を起動、管理する子機呼制御部、２６はキー等によるユーザからの入力受付やＬＣＤ等によるユーザへの通知を行う子機ＭＭＩ（Ｍａｎ−Ｍａｃｈｉｎｅ  Ｉｎｔｅｒｆａｃｅ）部、２７は無線信号を送受信する子機アンテナである。
【００２３】
このように構成された無線通信装置について、その動作を図２を用いて説明する。図２は、本発明の実施の形態１による無線通信装置のフレーム構成を示すフレーム構成図であり、制御チャネルをスロット１及びスロット４に設定したときの状況を示す。
【００２４】
まず、親機１において２つの制御チャネルを確立するまでの動作について説明する。電源投入後の親機１において、親機呼制御部１５が親機制御チャネル制御部１２に対し、１つ目の制御チャネルの確立を要求すると、親機制御チャネル制御部１２は制御チャネルに使用するスロットとキャリアの決定を親機チャネル管理部１３に要求する。親機チャネル管理部１３は、空きスロットでのキャリアセンスを親機無線制御部１０に要求し、親機エラー検知部１１に上がってくるエラー情報やＲＳＳＩ情報から、妨害波がないと判断できるスロット及びキャリアを決定する。もしホッピングを行う無線システムであれば、キャリアの代わりにホッピングパターンが選択される。親機チャネル管理部１３は選択したスロット及びキャリアを親機制御チャネル制御部１２に通知し、親機制御チャネル制御部１２は、通知されたスロット及びキャリアで制御チャネルを確立し、制御情報の同報を開始する。親機制御チャネル制御部１２は続いて２つ目の制御チャネル確立を起動し、親機チャネル管理部１３に２つ目の制御チャネル用のスロットとキャリアの決定を依頼する。親機チャネル管理部１３は、１つ目と同じ手順でスロットとキャリアを選択し、親機制御チャネル制御部１２に通知する。親機制御チャネル制御部１２は、通知されたスロット及びキャリアで２つ目の制御チャネルを確立し、制御情報の同報を開始する。
【００２５】
次に、２つの制御チャネルを持つ親機１に子機２が同期捕捉する動作について説明する。電源投入後や圏外状態にある子機２において、子機呼制御部２５から子機制御チャネル制御部２２に同期捕捉が要求される。子機制御チャネル制御部２２は子機無線制御部２０にキャリア情報と共にオープンサーチを要求し、子機無線制御部２０は受信した無線信号の制御データを子機制御チャネル制御部２２に逐次通知する。子機制御チャネル制御部２２は、制御データが通知されるたびに、親機の制御チャネルかどうかを判定し、親機１の制御チャネルであった場合はその信号への同期を子機無線制御部２０に要求し、親機１の制御チャネルと異なる場合は別信号への移行を子機無線制御部２０に要求する。親機１の制御チャネルに同期した場合は、子機制御チャネル制御部２２はその他の必要な情報を入手した後に同期捕捉状態へと移行し、同期捕捉成功を子機呼制御部２５に通知する。逆に、一定時間親機１の制御チャネルが見つからない場合は、子機制御チャネル制御部２２は順次キャリアを変更して子機無線制御部２０にオープンサーチを要求し、すべてのキャリアで親機１の制御チャネルが見つからなかった場合は、子機制御チャネル制御部２２は同期捕捉失敗を子機呼制御部２５に通知する。同期捕捉の失敗、成功は子機呼制御部２５から子機ＭＭＩ部２６に通知され、アンテナ表示やＬＥＤ、ＬＣＤ等によりユーザに表示される。親機が送信する２つの制御チャネルのどちらに子機が同期するかは、オープンサーチを行うキャリアの選択順序や妨害波の有無などの条件によって決まる。
【００２６】
次に、親機が制御チャネルとしてスロット１及びスロット４を使用した場合に子機が通話チャネルを確立する動作について説明する。スロット１に同期した子機２において、発呼もしくは着呼により通話チャネルの確立が子機呼制御部２５にて発生した場合、子機呼制御部２５は子機通話チャネル制御部２４に通話チャネル確立を要求し、更に子機通話チャネル制御部２４は通話チャネル用のスロット及びキャリアの選択を子機チャネル管理部２３に要求する。子機チャネル管理部２３はスロットとキャリアの選択を行うが、子機はブラインド方式であるため、同期中のスロット１とその前後のスロットは使用不可であり、更にスロット４は親機が制御チャネル送信に使用しているため、残りのスロット３及びスロット５の一方からのみスロットは選択可能で、妨害波の影響等を考慮し、いずれか一方のスロットとキャリアを決定する。決定したスロットとキャリアは子機チャネル管理部２３から子機通話チャネル制御部２４に通知され、子機通話チャネル制御部２４は親機と通話チャネル確立を起動する。子機２がスロット４に同期した場合は、同じくスロット０及びスロット２のいずれかで親機１と通話チャネルを確立可能となる。
【００２７】
以上のように本実施の形態によれば、スロット１に同期した子機２は、スロット３もしくはスロット５を通話チャネルに使用可能であり、スロット４に同期した子機２はスロット０及びスロット２を使用可能となることから、使用不可能なスロットが存在しないことになる。
【００２８】
（実施の形態２）
本発明の実施の形態２による無線通信装置の構成は、実施の形態１と同様、図１に示す構成である。
【００２９】
このように構成された無線通信装置について、その動作を図２を用いて説明する。
【００３０】
まず、親機１において、一方の制御チャネルを優先制御チャネルに設定するまでの動作について説明する。親機１において、図２にあるように、制御チャネルとしてスロット１、スロット４が使用されていると仮定する。親機チャネル管理部１３は通話チャネル確立、解放の度に、使用されるスロット及びキャリアの情報を親機制御チャネル制御部１２に通知する。親機１に同期した子機２によってスロット０、スロット２が通話チャネルとして使用された場合、親機制御チャネル制御部１２は、スロット４に同期している子機は通話チャネルを確立することが不可能だと判断し、まだ通話チャネルの確立が可能なスロッ
ト１を優先制御チャネルに設定する。親機制御チャネル制御部１２は優先制御チャネル情報を２つの制御チャネルより報知する。
【００３１】
次に、優先制御チャネル情報を受信した子機２が制御チャネルを移動する動作について説明する。同期中の子機２が親機１から優先制御チャネル情報を受信すると、子機無線制御部２０から子機制御チャネル制御部２２に優先制御チャネル情報が通知される。優先制御チャネル情報で指定された制御チャネルが現在同期中の制御チャネルと異なる場合、子機制御チャネル制御部２２は指定された制御チャネルへの移動を行う。子機制御チャネル制御部２２はまず指定された制御チャネルでの受信を子機無線制御部２０に要求し、子機無線制御部２０から通知される受信データが子機制御チャネル制御部２２に正常に通知された場合、子機制御チャネル制御部２２は、それまで同期していた方の制御チャネルの受信停止を子機無線制御部２０に要求する。子機無線制御部２０が古い方の制御チャネルを解放すると、制御チャネル移動の動作は完了となる。
【００３２】
以上のように本実施の形態によれば、親機１での優先制御チャネル設定により、子機２は通話チャネルを確立可能な制御チャネルに移動することが可能になり、スロットを有効に使用することが可能になる。
【００３３】
（実施の形態３）
本発明の実施の形態３による無線通信装置の構成は、実施の形態１と同様、図１に示す構成である。
【００３４】
このように構成された無線通信装置について、その動作を図２を用いて説明する。
【００３５】
まず、システム内で使用中のスロット番号を子機２が認識するまでの動作について説明する。親機制御チャネル制御部１２は、親機チャネル管理部１３から通知される使用中スロット情報を子機２に対して制御チャネルから周期的に送信する。親機から受信した使用中スロット情報は子機無線制御部２０から子機制御チャネル制御部２２に通知される。
【００３６】
次に、使用中スロットの情報から子機２が制御チャネルを移動する動作について説明する。子機制御チャネル制御部２２は受信した使用中スロット情報から現在同期中の制御チャネルから通話チャネルの確立が可能かどうかを判断する。通話チャネルの確立が不可能な場合、例えば現在スロット１の制御チャネルに同期中にスロット３、４、５のすべてが制御チャネルもしくは通話チャネルとして使用中の場合、子機制御チャネル制御部２２は他方の制御チャネル（例えばスロット４の制御チャネル）への移動を起動する。移動は他方の制御チャネルへシームレスに切り換える方法と一旦同期を外した後、再度同期捕捉を起動して、他方の制御チャネルに同期する方法とが考えられる。
【００３７】
以上のように本実施の形態によれば、使用不可能スロットの情報から、子機２が通話チャネルを確立可能な制御チャネルに移動することが可能になり、スロットを有効に使用することが可能になる。
【００３８】
（実施の形態４）
本発明の実施の形態４による無線通信装置の構成は、実施の形態１と同様、図１に示す構成である。
【００３９】
このように構成された無線通信装置について、その動作を図２を用いて説明する。
【００４０】
まず制御チャネル以外のすべてのスロットが通話チャネルとして使用された場合、親機１にて一方の制御チャネルの解放を起動する動作について説明する。親機制御チャネル制
御部１２は、親機チャネル管理部１３から通知される使用中スロット情報から２つの制御チャネル以外のスロットが全て通話チャネルとして使用されていることを認識した場合、２つの制御チャネルの一方のみを制御チャネルとして選択し、選択した制御チャネルのみを制御チャネルとした制御チャネル情報の送信を開始する。親機制御チャネル制御部１２は、すべての子機２が選択した制御チャネルへ移動完了するのに十分な時間が経過した後、選択されなかった方の制御チャネルの解放を親機無線制御部１０に要求し、この制御チャネルは解放され、通話チャネルとして使用可能になる。
【００４１】
次に、解放された制御チャネルに同期した子機２が、残った方の制御チャネルに移動する動作について説明する。子機制御チャネル制御部２２は、親機１からの制御チャネル情報を受信するたびに、自身が同期中のスロットが制御チャネルであるか否かを確認するが、制御チャネルではない場合、制御チャネル情報にある制御チャネルへの確立を子機無線制御部２０に要求する。制御チャネルが確立され、確立通知が子機無線制御部２０から子機制御チャネル制御部２２に行われると、子機制御チャネル制御部２２は、それまで同期していたスロットの解放を子機無線制御部２０に要求する。
【００４２】
以上のように本実施の形態によれば、２つの制御チャネル以外のスロットがすべて使用中になった場合、一方の制御チャネルを解放し、通話チャネルとして利用することで、使用可能なスロット全てを有効に活用できる。
【産業上の利用可能性】
【００４３】
本発明は、コードレス電話装置やワイヤレス交換機などで使用され、親機と子機との間で無線通信を行う時分割多重の無線通信装置に関し、使用不可能なスロットを極力少なくして無線リソースを有効に活用することができる。
【図面の簡単な説明】
【００４４】
【図１】（ａ）本発明の実施の形態１、２、３、４による無線通信装置を構成する親機を示すブロック図、（ｂ）本発明の実施の形態１、２、３、４による無線通信装置を構成する子機を示すブロック図
【図２】本発明の実施の形態１による無線通信装置のフレーム構成を示すフレーム構成図
【図３】制御チャネルをスロット１に設定したときのフレーム構成図
【符号の説明】
【００４５】
１    親機
１    子機
１０    親機無線制御部
１１    親機エラー検知部
１２    親機制御チャネル制御部
１３    親機チャネル管理部
１４    親機通話チャネル制御部
１５    親機呼制御部
１６    親機回線制御部
１７    親機アンテナ
２０    子機無線制御部
２１    子機エラー検知部
２２    子機制御チャネル制御部
２３    子機チャネル管理部
２４    子機通話チャネル制御部
２５    子機呼制御部
２６    子機ＭＭＩ部
２７    子機アンテナ
【図１】
2006013758.tif 000003
【図２】
2006013758.tif 000004
【図３】
2006013758.tif 000005